(57)【特許請求の範囲】
【請求項１】
複数系統の受信信号がそれぞれ入力される複数個の入力端子部と、衛星からの電波を受信処理する複数台の受信端末がそれぞれ接続される複数個の出力端子部と、各入力端子部からの受信信号をそれぞれ分配する複数個の分配回路と、分配回路と同数個設けられそれぞれ前記受信端末からの指示に応じてすべての分配回路から１つの分配回路の出力を選択する切換回路とを金属製の一つの筐体に備え、前記筐体が施工面に当接する形で取り付けられ、前記入力端子部および前記出力端子部はそれぞれ筐体の外側面のうち施工面に当接する面とは直交する面であって互いに異なる面に配設され、入力端子部が配設される面は施工面から離れる向きに段差を設けた階段面であって各階段面にそれぞれ入力端子部が設けられ、出力端子部が配設される面は入力端子部が配設される階段面とは別に施工面から離れる向きに段差を設けた階段面であって各階段面にそれぞれ出力端子部が設けられ、前記入力端子部および前記出力端子部はそれぞれ施工面に直交する方向において異なる２群の位置に分かれ、各群の前記入力端子部および前記出力端子部が各々接続され施工面に沿って２層に配置された第１および第２の印刷配線板から成る回路基板と、第１の回路基板と第２の回路基板との間に両回路基板と直交する形で配置されかつ両回路基板に電気的に接続される印刷配線板から成る第３の回路基板とが設けられ、第１および第２の回路基板は施工面に沿って配置され、かつ第１および第２の回路基板のうち施工面に近い回路基板は施工面に近接して配置され、前記入力端子部および前記出力端子部は同軸コネクタであって、第１および第２の回路基板のうち施工面に近い回路基板と接続された前記入力端子部および前記出力端子部は施工面に沿う部分と施工面側に延設されて回路基板に直交し回路基板に接続される部分とから成るＬ字状接続端子を芯線部として備え、Ｌ字状接続端子のうち回路基板に直交する部位の両側に隣接する形で、回路基板の接地パターンと導通している導電性を有した突起部を配設していることを特徴とする切換分配器。
【請求項２】
前記第１の回路基板の接地パターンと前記第２の回路基板の接地パターンと前記筐体との少なくとも１つと、前記第３の回路基板の接地パターンとを接続する接続部材を備えることを特徴とする請求項１記載の切換分配器。
【請求項３】
前記第３の回路基板には分配回路が実装されていることを特徴とする請求項１又は請求項２記載の切換分配器。
【請求項４】
前記第３の回路基板の端部が挿入保持される溝部が前記筐体の内周面に形成されていることを特徴とする請求項１乃至請求項３のいずれか１項に記載の切換分配器。
【請求項５】
前記入力端子部および前記出力端子部は施工面から離れた端縁に近接した部分に配置されることを特徴とする請求項１乃至請求項４のいずれか１項に記載の切換分配器。
【請求項６】
前記突起部は前記筐体から突出しており、前記突起部の先端面に回路基板に挿通された固定ねじが螺合するねじ穴が形成されていることを特徴とする請求項１乃至請求項５のいずれか１項に記載の切換分配器。
【請求項７】
前記各回路基板において２つの信号線路パターンの間に接地パターンが形成されている場合と、前記筐体と信号線路パターンとの間に接地パターンが形成されている場合とには、当該接地パターンに囲まれた部位に接地パターン非形成部を設けることを特徴とする請求項１乃至請求項６のいずれか１項に記載の切換分配器。
【請求項８】
前記パターン非形成部を囲む接地パターンの一部間を接続するインピーダンス素子を設けたことを特徴とする請求項７記載の切換分配器。
【発明の詳細な説明】
【０００１】
【発明の属する技術分野】
本発明は、アンテナからの複数系統の受信信号を複数台の受信端末に分配するとともに、各受信端末において所望系統の受信信号を選択して受信する切換分配器に関するものである。
【０００２】
【従来の技術】
従来から、垂直偏波と水平偏波或いは右旋円偏波と左旋円偏波というように互いに直交する２種類の偏波を用いて異なる情報を伝送する技術が人工衛星を利用する通信分野において知られている。例えば、衛星放送に用いられている通信衛星では、垂直偏波と水平偏波とを用いている。送信された電波を受信する衛星受信アンテナ（所謂、ＣＳアンテナ）は、各通信衛星からの垂直偏波信号および水平偏波信号を夫々受信し、各偏波信号を夫々所定周波数帯の受信信号に変換し出力する。
【０００３】
したがって、ＣＳアンテナからの各受信信号を受信する受信端末を用い、１つのＣＳアンテナからケーブルを介して受信端末へ各受信信号を伝送する場合は、ＣＳアンテナの垂直偏波および水平偏波に夫々対応した出力端子部に夫々１本ずつのケーブルを接続し、合計２本のケーブルを受信端末まで配線することになる。また、複数台の受信端末で共聴しようとすれば、１つのＣＳアンテナから引き出した２本のケーブルと各受信端末との間に夫々分配器を設け、ＣＳアンテナからの各受信信号を各受信端末へ分配する必要がある。
【０００４】
【発明が解決しようとする課題】
上述の説明から明らかなように、複数系統のＣＳ放送サービスを複数の部屋で利用するには、各受信端末が設置される部屋ごとに受信信号を取出すための複数個の取出口が夫々必要となる。したがって、分配器とＣＳアンテナとを接続するだけでなく、分配器と各取出口との間も夫々ケーブルで接続する必要があり、屋内配線工事が極めて面倒になる。
【０００５】
また、通信衛星からの受信信号を受信するために受信端末の前段には一般にＣＳチューナを設けるが、ＣＳチューナは、各ＣＳアンテナからそのまま複数系統の受信信号を一括して受信し、受信信号の系統を択一的に選択して受信端末側に出力する機能を備えていないから、ＣＳチューナに入力する受信信号の系統を切換える切換器を別に設けなければならない。
【０００６】
これに対して、複数の入力端子部および複数の出力端子部を１つの筐体に設け、各入力端子部から入力される複数系統の受信信号を複数に分配する分配回路部と、すべての分配回路部から１つの分配回路部の出力を夫々選択して出力端子部に出力する複数の切換器とを上記筐体に設けた切換分配器が考えられる。しかし、複数の入力端子部と複数の出力端子部とを筐体に単純に並設するだけでは筐体が大型化して取付面積が大きくなるという問題が生じる。
【０００７】
本発明は上記問題に鑑みて為されたものであり、その目的は、複数系統の受信信号を択一的に選択して１つの出力端子部から出力可能とすることにより、屋内配線工事を容易にし、かつ分配器とは別に切換器を設ける必要がなく、しかも取付面積を比較的小さくした切換分配器を提供することにある。
【０００８】
【課題を解決するための手段】
請求項１の発明は、複数系統の受信信号がそれぞれ入力される複数個の入力端子部と、衛星からの電波を受信処理する複数台の受信端末がそれぞれ接続される複数個の出力端子部と、各入力端子部からの受信信号をそれぞれ分配する複数個の分配回路と、分配回路と同数個設けられそれぞれ前記受信端末からの指示に応じてすべての分配回路から１つの分配回路の出力を選択する切換回路とを金属製の一つの筐体に備え、前記筐体が施工面に当接する形で取り付けられ、前記入力端子部および前記出力端子部はそれぞれ筐体の外側面のうち施工面に当接する面とは直交する面であって互いに異なる面に配設され、入力端子部が配設される面は施工面から離れる向きに段差を設けた階段面であって各階段面にそれぞれ入力端子部が設けられ、出力端子部が配設される面は入力端子部が配設される階段面とは別に施工面から離れる向きに段差を設けた階段面であって各階段面にそれぞれ出力端子部が設けられ、前記入力端子部および前記出力端子部はそれぞれ施工面に直交する方向において異なる２群の位置に分かれ、各群の前記入力端子部および前記出力端子部が各々接続され施工面に沿って２層に配置された第１および第２の印刷配線板から成る回路基板と、第１の回路基板と第２の回路基板との間に両回路基板と直交する形で配置されかつ両回路基板に電気的に接続される印刷配線板から成る第３の回路基板とが設けられ、第１および第２の回路基板は施工面に沿って配置され、かつ第１および第２の回路基板のうち施工面に近い回路基板は施工面に近接して配置され、前記入力端子部および前記出力端子部は同軸コネクタであって、第１および第２の回路基板のうち施工面に近い回路基板と接続された前記入力端子部および前記出力端子部は施工面に沿う部分と施工面側に延設されて回路基板に直交し回路基板に接続される部分とから成るＬ字状接続端子を芯線部として備え、Ｌ字状接続端子のうち回路基板に直交する部位の両側に隣接する形で、回路基板の接地パターンと導通している導電性を有した突起部を配設しているものであり、各出力端子部と各受信端末側とを夫々１本のケーブルで接続するだけで、複数系統の受信信号を複数の受信端末側で夫々択一的に選択して受信できるようになる。その結果、屋内配線工事が容易になり、また別途に切換器を設ける必要もないのである。しかも、入力端子部と出力端子部とが夫々施工面に直交する方向において２群の位置に分かれているから、入力端子部および出力端子部を夫々配置している範囲の施工面への投影面積を比較的小さくすることができ、結果的に取付面積が小さくなる。さらに、回路部品を各回路基板に分散させて実装することができ、取付面積を小さくすることができる。また、第１および第２の回路基板のうち施工面に近い回路基板と接続された前記入力端子部および前記出力端子部はＬ字状接続端子を芯線部として備えており、第１および第２の回路基板のうち施工面に近い回路基板を施工面に近接できるから、第３の回路基板の面積をより大きくすることが可能となり、第３の回路基板に実装可能な回路部品数を多くして第１の回路基板および第２の回路基板の回路部品数を低減することができ、結果的に取付面積を小さくすることができる。さらにまた、Ｌ字状接続端子のうち回路基板に直交する部位の両側に隣接する形で、接地パターンと導通している導電性を有した突起部を配設しているから、Ｌ字状接続端子の周囲に安定した電磁界状態を確保できる。
【００１０】
請求項２の発明は、請求項１において、前記第１の回路基板の接地パターンと前記第２の回路基板の接地パターンと前記筐体との少なくとも１つと、前記第３の回路基板の接地パターンとを接続する接続部材を備えるものであり、各接地パターンを介して受信信号が漏洩するのを抑制できる。
【００１１】
請求項３の発明は、請求項１又は請求項２において、前記第３の回路基板には分配回路が実装されているものであり、第１の回路基板と第２の回路基板との間の受信信号が往復することがなく、回路構成を単純化でき、取付面積を小さくすることができる。
【００１２】
請求項４の発明は、請求項１及至請求項３において、前記第３の回路基板の端部が挿入保持される溝部が前記筐体の内周面に形成されているものであり、第３の回路基板と第１の回路基板および第２の回路基板との接続が強固になるとともに第３の回路基板の取付けが容易になる。
【００１３】
請求項５の発明は、請求項１及至請求項４において、前記入力端子部および前記出力端子部は施工面から離れた端縁に近接した部分に配置されることで、各入力端子部および各出力端子部へのケーブルの取付けが容易になる。
【００１６】
請求項６の発明は、請求項１乃至請求項５において、前記突起部は前記筐体から突出しており、前記突起部の先端面に回路基板に挿通された固定ねじが螺合するねじ穴が形成されているものであり、第２の回路基板の接地が強化されるとともに、突起部とねじ止め用台座を兼用できる。
【００１７】
請求項７の発明は、請求項１及至請求項６において、前記各回路基板において２つの信号線路パターンの間に接地パターンが形成されている場合と、前記筐体と信号線路パターンとの間に接地パターンが形成されている場合とには、当該接地パターンに囲まれた部位に接地パターン非形成部を設けるものであり、接地パターンを介して受信信号が漏洩するのを抑制できる。
【００１８】
請求項８の発明は、請求項７において、前記パターン非形成部を囲む接地パターンの一部間を接続するインピーダンス素子を設けたものであり、接地パターンによる耐ノイズ特性を確保するとともに、接地パターンを介して受信信号が漏洩するのを抑制できる。
【００１９】
【発明の実施の形態】
本発明の実施の形態を図面を用いて説明する。図３に示すように、本実施形態では２個のＣＳアンテナ１ａ、１ｂを用いる場合について例示する。各ＣＳアンテナ１ａ、１ｂは、各別の通信衛星からの電波を夫々受信する。ＣＳアンテナ１ａは、いずれもＤＣ１１Ｖの直流電圧が供給されると垂直偏波信号を所定周波数帯域の受信信号（以下、受信信号（垂直１）という）に変換して出力し、ＤＣ１５Ｖの直流電圧が供給されると水平偏波信号を所定周波数帯域の受信信号（受信信号（水平１）という）に変換して出力する。一方、ＣＳアンテナ１ｂは、ＤＣ１１Ｖの直流電圧が供給されると、垂直偏波信号を所定周波数帯域の受信信号（以下、受信信号（垂直２）という）に変換して出力し、ＤＣ１５Ｖが供給されると、水平偏波信号を所定周波数帯域の受信信号（以下、受信信号（水平２）という）に変換して出力する。
【００２０】
本実施形態の切換分配器１０には、同軸ケーブルＤ１を介してＣＳアンテナ１ａおよびＣＳアンテナ１ｂが接続される。また、切換分配器１０は、同軸ケーブルＤ２を介して一口の取出口（ＴＶコンセント）２ｂに接続され、各取出口２ｂには夫々同軸ケーブルＤ３を介してＣＳチューナ２ａが接続される。また、ＣＳチューナ２ａの後段には受信端末としてのテレビジョン受像機２が接続される。
【００２１】
本実施形態の切換分配器１０は、図２に示すように、それぞれＦ接栓たる４個ずつの入力端子部３ａ〜３ｄと出力端子部７ａ〜７ｄとを有する。入力端子部３ａ、３ｂは、ＣＳアンテナ１ａと同軸ケーブルＤ１を介して接続され、入力端子部３ｃ、３ｄは、ＣＳアンテナ１ｂと同軸ケーブルＤ１を介して接続される。各入力端子部３ａ〜３ｄには夫々増幅回路部４の入力端が接続される。また、各増幅回路部４の出力端には入力された信号を２分配する２分配回路部５ａが夫々接続され、各２分配回路部５ａの各出力端には入力された信号を夫々２分配する２分配回路部５ｂ、５ｃが夫々接続されている。したがって、入力端子部３ａ〜３ｄに入力された受信信号（垂直１）、受信信号（水平１）、受信信号（垂直２）、受信信号（水平２）の４系統の受信信号が２分配回路部５ａ〜５ｃにより夫々４分配されることになる。ところで、各出力端子部７ａ〜７ｄにはそれぞれ切換回路部６が接続される。各切換回路部６は４系統の受信信号を択一的に選択するように、２分配回路５ｂ、５ｃに接続される。つまり、２分配回路５ｂの出力は出力端子部７ａ、７ｂに対応する切換回路部６により選択され、２分配回路５ｃの出力は出力端子部７ｃ、７ｄに対応する切換回路部６により選択される。
【００２２】
増幅回路部４は、図４に示すように、入力端３０から入力されるＣＳアンテナ１ａ、１ｂからの受信信号を増幅する増幅器Ａ１を備え、増幅器Ａ１と入力端３０との間にコンデンサＣ１が接続されるとともに増幅器Ａ１と出力端３１との間にコンデンサＣ２が接続される。また、入力端３０と出力端３１との間には２個のコイルＬ１、Ｌ２の直列回路が挿入される。出力端３１にはＣＳアンテナ１ａ、１ｂおよび増幅器Ａ１に供給される直流電圧が印加され、コイルＬ１、Ｌ２の接続点から増幅器Ａ１に供電される。またコイルＬ１、Ｌ２は、直流電流を出力端３１から入力端３０に通過させるとともにＣＳアンテナ１ａ、１ｂからの受信信号を遮断する。一方、コンデンサＣ１、Ｃ２は、入力端３０からの受信信号を通過させるとともに出力端３１からの直流電流の逆流を阻止する。
【００２３】
各２分配回路部５ａ〜５ｃは同じ構成を有し、図５に示すように、入力端３３からの受信信号をトランスＴＲ１およびオートトランスＴＲ２を用いて出力端３２ａ、３２ｂに分配する。また、出力端３２ａ、３２ｂから入力端３３へ直流電流を通過させることができる。オートトランスＴＲ２の一端はコンデンサＣ３を介して接地されている。
【００２４】
切換回路部６は、ＣＳアンテナ１ａからの垂直偏波信号および水平偏波信号、ＣＳアンテナ１ｂからの垂直偏波信号および水平偏波信号から択一的に選択するスイッチから成り、夫々出力端子部７ａ〜７ｄに接続されている。
【００２５】
以下に、本実施形態の切換分配器１０の動作を説明する。受信端末がＣＳアンテナ１ａからの受信信号（垂直１）を受信する場合には、ＣＳチューナ２ａからＤＣ１１Ｖの直流電圧が同軸ケーブルＤ２、Ｄ３を介して切換分配器１０へ供給され、切換回路部６は入力端子部３ａに接続された接点を選択する。このとき、２分配回路部５ｂ、増幅回路４、入力端子部３ａを通る経路で、ＤＣ１１Ｖの直流電圧が同軸ケーブルＤ１を介してＣＳアンテナ１ａへ供給される。また、受信端末がＣＳアンテナ１ａからの受信信号（水平１）を受信する場合には、ＤＣ１５Ｖの直流電圧が同軸ケーブルＤ２を介して切換分配器１０へ供給され、切換回路部６がその直流電圧を受けて入力端子部３ｂに接続された接点を選択する。この場合もＤＣ１５Ｖの直流電圧は同軸ケーブルＤ１を介してＣＳアンテナ１ａへ供給される。受信端末がＣＳアンテナ１ｂからの受信信号（垂直２）を受信する場合には、ＣＳアンテナ１ａとＣＳアンテナ１ｂとを区別するための３２〜５３ｋＨｚの衛星選択制御信号が重畳されたＤＣ１１Ｖの直流電圧が同軸ケーブルＤ１を介して切換分配器１０に供給され、切換回路部６がその衛星選択制御信号とＤＣ１１Ｖの直流電圧とを受けて入力端子部３ｃに接続された接点を選択する。ここで、ＤＣ１１Ｖの直流電圧は同軸ケーブルＤ１を介してＣＳアンテナ１ｂへ供給される。受信端末がＣＳアンテナ１ｂからの受信信号（水平２）を受信する場合には、上記衛星選択制御信号が重畳されたＤＣ１５Ｖの直流電圧が同軸ケーブルＤ１を介して切換分配器１０へ供給され、切換回路部６がその衛星選択制御信号とＤＣ１５Ｖの直流電圧とを受けて入力端子部３ｄに接続された接点を選択する。この場合もＤＣ１５Ｖの直流電圧は同軸ケーブルＤ１を介してＣＳアンテナ１ｂへ供給される。
【００２６】
例えば、出力端子部７ａおよび出力端子部７ｂに接続される各ＣＳチューナ２ａ側において、ＣＳアンテナ１ａからの受信信号（垂直１）を受信する場合には、ＤＣ１１Ｖの直流電圧が各ＣＳチューナ２ａから同軸ケーブルＤ２、Ｄ３を介して出力端子部７ａ、切換回路部６へ供給され、切換回路部６は、ＤＣ１１Ｖの直流電圧を感知してスイッチの一番左側（図２において）を閉成する。ＤＣ１１Ｖの直流電圧は、信号線を介して２分配回路部５、増幅回路部４へ供給され、そして入力端子部３ａから同軸ケーブルＤ１を介してＣＳ受信アンテナ１ａへ供給される。そして、受信信号（垂直１）は、ＣＳ受信アンテナ１ａから同軸ケーブルＤ１を介して入力端子部３ａに出力される。受信信号（垂直１）は、入力端子部３ａから増幅回路部４で増幅され２分配回路部５ａに出力される。受信信号（垂直１）は、２分配回路部５ａから２分配回路部５ｂに出力される。受信信号（垂直１）は、２分配回路部５ｂで２分配され各切換回路部６に出力される。受信信号（垂直１）は、各切換回路部６から夫々出力端子部７ａ、出力端子部７ｂに出力され、夫々同軸ケーブルＤ２、Ｄ３を介して各ＣＳチューナ２ａに出力される。受信信号（垂直１）は、各ＣＳチューナ２ａによってテレビジョン受像機２に対応した信号に変換されテレビジョン受像機２へ出力される。上記の状態から出力端子部７ａに接続されているＣＳチューナ２ａにおいて、ＣＳアンテナ１ｂからの受信信号（水平２）を受信する場合、ＣＳチューナ２ａから３２〜５３ｋＨｚの衛星選択制御信号が重畳されたＤＣ１５Ｖの直流電圧が、同軸ケーブルＤ２、Ｄ３を介して出力端子部７ａから切換回路部６に供給される。切換回路部６は、この直流電圧を感知しスイッチの一番右側（図２において）を閉成し、この直流電圧は、上述したＤＣ１１Ｖの直流電圧がＣＳ受信アンテナ１ａに供給されたのと同様に、ＣＳ受信アンテナ１ｂに供給され、受信信号（水平２）は、ＣＳ受信アンテナ１ｂからＣＳチューナ２ａに送信されテレビジョン受像機２に対応した信号に変換されテレビジョン受像機２へ出力される。
【００２７】
なお、上述した使用例は一例であり、切換分配器１０は、出力端子部７ａ〜７ｄに接続される各ＣＳチューナ２ａに受信信号を夫々分配でき、かつＣＳアンテナ１ａおよびＣＳアンテナ１ｂからの受信信号（垂直１）、受信信号（水平１）、受信信号（垂直２）、受信信号（水平２）を夫々各ＣＳチューナ２ａに出力できる。
【００２８】
切換分配器１０は、図１に示すように、上述した回路構成を３枚の回路基板に実装し、３枚の回路基板を筐体８に収納してある。筐体８の外周部の一部分（図１（ｄ）における上部）に階段状の第１階段部８Ｆが形成され、筐体８の外周部の他の部分（図１（ｄ）における下部）に階段状の第２階段部８Ｇが形成されている。
【００２９】
第１階段部８Ｆの階段面８ｅにおいて施工面との当接面８Ａから離れた端縁に近接した部分（図１（ｄ）の右側）に入力端子部３ａ、３ｄが形成され、第１階段部８Ｆの階段面８ｇにおいて施工面との当接面８Ａから離れた端縁に近接した部分（図１（ｄ）の右側）に入力端子部３ｂ、３ｃが形成されている。入力端子部３ａおよび入力端子部３ｄと、入力端子部３ｂおよび入力端子部３ｃとは、配列方向（図１（ｂ）における左右方向）に位置をずらして配置してある。
【００３０】
一方、第２階段部８Ｇの階段面８ｆにおいて施工面との当接面８Ａから離れた端縁に近接した部分（図１（ｄ）の右側）に出力端子部７ａ、７ｂが形成され、第２階段部８Ｇの階段面８ｈにおいて施工面との当接面８Ａから離れた端縁に近接した部分（図１（ｄ）の右側）に出力端子部７ｃ、７ｄが形成されている。出力端子部７ａおよび出力端子部７ｂと、出力端子部７ｃおよび出力端子部７ｄとは、配列方向（図１（ｂ）における左右方向）に位置をずらして配置してある。
【００３１】
筐体８は、入力端子部３ｂ、３ｃおよび出力端子部７ｃ、７ｄに対応し階段面８Ｂに対面する第１の回路基板１１ａと、当接面８Ａに対面しかつ近接する第２の回路基板１１ｂと、一方に第１の回路基板１１ａ、他方に第２の回路基板１１ｂとにＬ字形状の端子１２Ｐで夫々接続され当接面８Ａと直交する方向に設けてある第３の回路基板１１ｃとを収納してある。また、筐体８は、入力端子部３ｂおよび入力端子部３ｃから直線状に形成された芯線１２Ｂが第１の回路基板１１ａに接続され、また出力端子部７ｃおよび出力端子部７ｄから直線状に形成された芯線１２Ｂが第１の回路基板１１ａに接続される。入力端子部３ａおよび入力端子部３ｄからＬ字状に形成された芯線１２Ａが第２の回路基板１１ｂに接続され、また出力端子部７ａおよび出力端子部７ｂからＬ字状に形成された芯線１２Ａが第２の回路基板１１ｂに接続される。
【００３２】
第１の回路基板１１ａは、図６に示すように、第３の回路基板１１ｃと接続するコネクタＣＮ１を設けてある。入力端子部３ｂに接続された増幅回路４からの受信信号は２分配回路部５ａで２分配され、２分配された受信信号の一方がコネクタＣＮ１のコネクタピンＰ１３に出力され、他方が２分配回路部５ｃに出力される。２分配回路部５ｃは、２分配回路部５ａからの受信信号を２分配し出力端子部７ｃと接続された切換回路部６および出力端子部７ｄと接続された切換回路部６へ出力する。また、入力端子部３ｃに接続された増幅回路４からの受信信号は２分配回路部５ａで２分配され、２分配された受信信号の一方がコネクタＣＮ１のコネクタピンＰ１４に出力され、他方が２分配回路部５ｃに出力される。２分配回路部５ｃは、２分配回路部５ａからの受信信号を２分配し出力端子部７ｃと接続された切換回路部６および出力端子部７ｄと接続された切換回路部６へ出力する。
【００３３】
第２の回路基板１１ｂは、図７に示すように、第３の回路基板１１ｃと接続されるコネクタＣＮ２を設けてある。入力端子部３ａに接続された増幅回路４からの受信信号は２分配回路部５ａで２分配され、２分配された受信信号の一方がコネクタＣＮ２のコネクタピンＰ２１に出力され、他方が２分配回路部５ｂに出力される。２分配回路部５ｂは、２分配回路部５ａからの受信信号を２分配し出力端子部７ａに接続された切換回路部６および出力端子部７ｂに接続された切換回路部６へ出力する。また、入力端子部３ｄに接続された増幅回路４からの受信信号は２分配回路部５ａで２分配され、２分配された受信信号の一方がコネクタＣＮ２のコネクタピンＰ２４に出力され、他方が２分配回路部５ｂに出力される。２分配回路部５ｂは、２分配回路部５ａからの受信信号を２分配し出力端子部７ａに接続された切換回路部６および出力端子部７ｂに接続された切換回路部６へ出力する。
【００３４】
第３の回路基板１１ｃは、図８に示すように、第１の回路基板１１ａと接続されるコネクタＣＮ３と、第２の回路基板１１ｂと接続されるコネクタＣＮ４とを備えている。第１の回路基板１ａのコネクタピンＰ１１、Ｐ１２、Ｐ１３、Ｐ１４、Ｐ１５、Ｐ１６は、夫々コネクタＣＮ３に形成されたコネクタピンＰ３１、Ｐ３２、Ｐ３３、Ｐ３４、Ｐ３５、Ｐ３６にＬ字状端子１２Ｐで接続されている。第２の回路基板１１ｂのコネクタピンＰ２１、Ｐ２２、Ｐ２３、Ｐ２４、Ｐ２５、Ｐ２６は、夫々コネクタＣＮ４に形成されたコネクタピンＰ４１、Ｐ４２、Ｐ４３、Ｐ４４、Ｐ４５、Ｐ４６にＬ字状端子１２Ｐで接続されている。また、第３の回路基板１１ｃは、コネクタピンＰ４１からの受信信号をコネクタピンＰ３１、Ｐ３５に分配する２分配回路部５ｃと、コネクタピンＰ４４からの受信信号をコネクタピンＰ３２、Ｐ３６に分配する２分配回路部５ｃと、コネクタピンＰ３３からの受信信号をコネクタピンＰ４２、Ｐ４５に分配する２分配回路部５ｂと、コネクタピンＰ３４からの受信信号をコネクタピンＰ４３、Ｐ４６に分配する２分配回路部５ｂを備えている。つまり、切換分配器１０は、第１の回路基板１１ａと第２の回路基板１１ｂと第３の回路基板１１ｃに回路構成を分散して配置し、４系統の受信信号を各受信端末に分配するとともに、切換回路部６によって４系統の受信信号を択一的に選択して受信端末側へ出力する。
【００３５】
切換分配器１０は、図１０に示すように、第１の回路基板１１ａと第３の回路基板１１ｃとの基板面には夫々接地パターンＧ１、Ｇ２が形成されている。コネクタＣＮ１に形成されているコネクタピンＰ５０（図６）は、接地パターンＧ１と接続してあり、コネクタＣＮ３、ＣＮ４に形成されているコネクタピンＰ５０（図８）は、接地パターンＧ２と接続してある。また、第２の回路基板１１ｂにも接地パターン（図示せず）が形成されており、コネクタＣＮ２に形成されているコネクタピンＰ５０（図７）は、その接地パターンに接続されている。コネクタＣＮ１とコネクタＣＮ３、コネクタＣＮ２とコネクタＣＮ４が夫々接続されると各Ｐ５０が接触して第１の回路基板１１ａと第２の回路基板１１ｂと第３の回路基板１１ｃとで回路グランドが形成される。第３の回路基板１１ｃに一端部が接続されている板状の接地板１５の他端部が第１の回路基板１１ａの接地パターンＧ１に当接され、接地板１５の接地パターンＧ１に当接した部分に形成されたねじ穴（図示せず）と第１の回路基板１１ａのねじ穴（図示せず）と金属筐体１３（筐体８は金属製であるから、以下では筐体８を金属筐体１３という）のねじ穴１７とをねじ１６でねじ止めされている。また、切換分配器１０は、図１１に示すように、第３の回路基板１１ｃを位置決め固定する凹溝１４が金属筐体１３の内側部に延設されている。
【００３６】
さらに、切換分配器１０は、図１２に示すように、入力端子部３ａから第２の回路基板１１ｂに接続される芯線１２Ａの両側部（図１２（ｂ）の左右側部）に金属筐体１３から延設され直方体の導電性部材から成る突起部２０ａおよび突起部２０ｂが夫々形成され、突起部２０ａおよび突起部２０ｂの上面（図１２（ｂ）でいう上面）に第２の回路基板１１ｂを固定するねじ穴１７を夫々設けてある。
【００３７】
なお、第３の回路基板１１ｃの接地パターンＧ２と第１の回路基板１１ａの接地パターンＧ１と金属筐体１３とを接続する接地板１５は、導電性部材であれば良く、凹溝１４と第３の回路基板１１ｃとの間に導電性部材から成るバネを利用してもよい。また、突起部２０ａおよび突起部２０ｂを設ける代りに、芯線１２Ａの第２の回路基板１１ｂと垂直方向の芯線部を板状の導電性部材で囲い、上記導電性部材の一端部を接地パターンに接続しても同様の効果を奏する。
【００３８】
図１３は、図７の第２の回路基板１１ｂの基板面Ｂ１を示す図である。信号線路パターンＳ１および信号線路パターンＳ２に沿った方向でそれらの間に長方形の接地パターン非形成部１８ａを設けてある。また、ねじ１６と信号線路パターンＳ２との間に信号線路パターンＳ２に沿った方向に長方形の接地パターン非形成部１８ｂを設けてある。また、接地パターン非形成部１８ａを左右方向（図１３（ａ）でいう左右方向）に跨り、両端部が接地パターンＧ３ａに接続されるインピーダンス素子１９ａが２つ形成されている。接地パターン１８ｂを左右方向（図１３（ａ）でいう左右方向）に跨り、両端部が接地パターンＧ３ｂに接続されるインピーダンス素子１９ｂが２つ形成されている。
【００３９】
接地パターン非形成部１８ａによって、信号線路パターンＳ１と信号線路パターンＳ２とにおいて接地パターンＧ３ａを経由して受信信号が漏洩するのが抑制される。また、接地パターン非形成部１８ｂによって、信号線路パターンＳ２とねじ１６とから他の信号線路へ受信信号が流れることが抑制される。
【００４０】
接地パターン非形成部１８ａ、１８ｂを夫々囲む接地パターンＧ３ａおよび接地パターンＧ３ｂの一部間に夫々インピーダンス素子１９ａ、１９ｂを設けたことで、接地パターン非形成部１８ａ、１８ｂによって一部分断された夫々接地パターンＧ３ａ間、接地パターンＧ３ｂ間のインピーダンスを調整することができる。
【００４１】
以上のことから、ＣＳアンテナ１ａからの垂直偏波信号と水平偏波信号、ＣＳアンテナ１ｂからの垂直偏波信号と水平偏波信号を夫々複数の端末に分配できるとともに、各端末と切換分配器１０とは１本の同軸ケーブルを接続するだけで第１の通信衛星の垂直偏波信号と水平偏波信号、第２の通信衛星の垂直偏波信号と水平偏波信号から択一的に選択して受信することができる。
【００４２】
また、階段面８ａと入力端子部３ａ、３ｄとの間に隙間が形成され、同じく階段面８ｃと入力端子部３ｂ、３ｃ、階段面８ｂと出力端子部７ａ、７ｂ、階段面８ｄと出力端子部７ｃ、７ｄとの間においても夫々隙間が形成されていることから、同軸ケーブルを切換分配器１０に接続する場合に、各端子同士および階段面が邪魔にならず施工を容易にできる。また、第１の回路基板１１ａ、第２の回路基板１１ｂおよび第３の回路基板１１ｃに回路構成を分散し第３の回路基板１１ｃに２分配回路部５ｂ、５ｃを配置したことから、第１の回路基板と第２の回路基板とを受信信号が往復することがなく回路構成を簡略化でき、取付面積が減少するため利便性が向上する。
【００４３】
また、突起部２０ａおよび突起部２０ｂが芯線１２Ａの第２の回路基板１１ｂと垂直方向の芯線部の両側端に沿って形成されていることで、芯線１２Ａにおいて安定した電磁界状態が確保され受信信号伝送特性の劣化を低減できる。また、金属筐体１３が接地板１５によって第１の回路基板１１ａおよび第３の回路基板１１ｃと回路グランドされているため、第３の回路基板１１ｃのグランドが強化され、第３の回路基板１１ｃ内での信号線間の漏洩が減少する。さらに、第３の回路基板１１ｃが凹溝１４に固定されているため、第３の回路基板１１ｃが強固に保持され第１の回路基板１１ａおよび第２の回路基板１１ｂとの接続信頼性が向上し、品質良好な切換分配器１０を提供できる。また、第３の回路基板１１ｃを製造工程において取付けるための位置決めが容易になり、製造・組立ての作業の効率が上がるため製造コストが削減できる。
【００４４】
さらに、第２の回路基板１１ｂに形成された接地パターン非形成部１８ａ、１８ｂおよびインピーダンス素子１９ａ、１９ｂによって耐ノイズ特性を保ちながらも、信号線間の接地パターン経由での受信信号の漏洩による特性劣化が抑制され、受信信号伝送特性が良好な切換分配器１０を提供できる。
【００４５】
【発明の効果】
請求項１の発明は、複数系統の受信信号がそれぞれ入力される複数個の入力端子部と、衛星からの電波を受信処理する複数台の受信端末がそれぞれ接続される複数個の出力端子部と、各入力端子部からの受信信号をそれぞれ分配する複数個の分配回路と、分配回路と同数個設けられそれぞれ前記受信端末からの指示に応じてすべての分配回路から１つの分配回路の出力を選択する切換回路とを金属製の一つの筐体に備え、前記筐体が施工面に当接する形で取り付けられ、前記入力端子部および前記出力端子部はそれぞれ筐体の外側面のうち施工面に当接する面とは直交する面であって互いに異なる面に配設され、入力端子部が配設される面は施工面から離れる向きに段差を設けた階段面であって各階段面にそれぞれ入力端子部が設けられ、出力端子部が配設される面は入力端子部が配設される階段面とは別に施工面から離れる向きに段差を設けた階段面であって各階段面にそれぞれ出力端子部が設けられ、前記入力端子部および前記出力端子部はそれぞれ施工面に直交する方向において異なる２群の位置に分かれ、各群の前記入力端子部および前記出力端子部が各々接続され施工面に沿って２層に配置された第１および第２の印刷配線板から成る回路基板と、第１の回路基板と第２の回路基板との間に両回路基板と直交する形で配置されかつ両回路基板に電気的に接続される印刷配線板から成る第３の回路基板とが設けられ、第１および第２の回路基板は施工面に沿って配置され、かつ第１および第２の回路基板のうち施工面に近い回路基板は施工面に近接して配置され、前記入力端子部および前記出力端子部は同軸コネクタであって、第１および第２の回路基板のうち施工面に近い回路基板と接続された前記入力端子部および前記出力端子部は施工面に沿う部分と施工面側に延設されて回路基板に直交し回路基板に接続される部分とから成るＬ字状接続端子を芯線部として備え、Ｌ字状接続端子のうち回路基板に直交する部位の両側に隣接する形で、回路基板の接地パターンと導通している導電性を有した突起部を配設したものであり、各出力端子部と各受信端末側とを夫々１本のケーブルで接続するだけで、複数系統の受信信号を複数の受信端末側で夫々択一的に選択して受信できるようになる。その結果、屋内配線工事が容易になり、また別途に切換器を設ける必要もないのである。しかも、入力端子部と出力端子部とが夫々施工面に直交する方向において２群の位置に分かれているから、入力端子部および出力端子部を夫々配置している範囲の施工面への投影面積を比較的小さくすることができ、結果的に取付面積が小さくなるという利点がある。さらに、回路部品を各回路基板に分散させて実装することができ、取付面積を小さくすることができる。また、第１および第２の回路基板のうち施工面に近い回路基板と接続された前記入力端子部および前記出力端子部はＬ字状接続端子を芯線部として備えており、第１および第２の回路基板のうち施工面に近い回路基板を施工面に近接できるから、第３の回路基板の面積をより大きくすることが可能となり、第３の回路基板に実装可能な回路部品数を多くして第１の回路基板および第２の回路基板の回路部品数を低減することができ、結果的に取付面積を小さくすることができる。さらにまた、Ｌ字状接続端子のうち回路基板に直交する部位の両側に隣接する形で、接地パターンと導通している導電性を有した突起部を配設しているから、Ｌ字状接続端子の周囲に安定した電磁界状態を確保できるという利点がある。
【００４７】
請求項２の発明は、請求項１において、前記第１の回路基板の接地パターンと前記第２の回路基板の接地パターンと前記筐体との少なくとも１つと、前記第３の回路基板の接地パターンとを接続する接続部材を備えるので、各接地パターンを介して受信信号が漏洩するのを抑制できるという利点がある。
【００４８】
請求項３の発明は、請求項１又は請求項２において、前記第３の回路基板には分配回路が実装されているので、第１の回路基板と第２の回路基板との間の受信信号が往復することがなく、回路構成を簡略化でき取付面積を小さくすることができるという利点がある。
【００４９】
請求項４の発明は、請求項１及至請求項３において、前記第３の回路基板の端部が挿入保持される溝部が前記筐体の内周面に形成されているので、第３の回路基板と第１の回路基板および第２の回路基板との接続が強固になるとともに第３の回路基板の取付けが容易になり、機器品質と製造組立て時の作業効率を向上することができるという利点がある。
【００５０】
請求項５の発明は、請求項１及至請求項４において、前記入力端子部および前記出力端子部は施工面から離れた端縁に近接した部分に配置されるので、各入力端子部および各出力端子部へのケーブルの取付けが容易になり、施工作業を効率化することができるという利点がある。
【００５３】
請求項６の発明は、請求項１乃至請求項５において、前記突起部は前記筐体から突出しており、前記突起部の先端面に回路基板に挿通された固定ねじが螺合するねじ穴が形成されていることで、第２の回路基板の接地が強化されるとともに、突起部とねじ止め用台座とを兼用でき、機器の品質の向上と取付面積を小さくできるという利点がある。
【００５４】
請求項７の発明は、請求項１及至請求項６において、前記各回路基板において２つの信号線路パターンの間に接地パターンが形成されている場合と、前記筐体と信号線路パターンとの間に接地パターンが形成されている場合とには、当該接地パターンに囲まれた部位に接地パターン非形成部を設けるので、接地パターンを介して受信信号が漏洩するのを抑制できるという利点がある。
【００５５】
請求項８の発明は、請求項７において、前記パターン非形成部を囲む接地パターンの一部間を接続するインピーダンス素子を設けたので、接地パターンによる耐ノイズ特性を確保するとともに、接地パターンを介して受信信号が漏洩するのを抑制できるという利点がある。
【図面の簡単な説明】
【図１】本発明の実施の形態を示し、（ａ）切換分配器の入力端子部が形成された階段部を示す正面図であり、（ｂ）同上の上面図であり、（ｃ）同上の出力端子部が形成された階段部を示す正面図であり、（ｄ）同上の側面図である。
【図２】同上の切換分配器を示す回路図である。
【図３】同上の切換分配器を用いたＣＳ放送受信システムの一例を示す接続図である。
【図４】同上に用いる増幅回路部を示す回路図である。
【図５】同上に用いる分配回路部を示す回路図である。
【図６】同上の切換分配器の上面側に設けられた第１の回路基板を示す回路図である。
【図７】同上の取付面側に設けられた第２の回路基板の回路図である。
【図８】同上の取付面と直交する方向に設けられた第３の回路基板の回路図である。
【図９】（ａ）第１の回路基板と第３の回路基板とのコネクタによる接続部を取付面側から見た正面図であり、（ｂ）取付面を上にして第１の回路基板と第３の回路基板とのコネクタを見た側面図であり、（ｃ）同上の側面図である。
【図１０】（ａ）第１の回路基板に形成された接地パターンと第３の回路基板に形成された接地パターンと金属筐体とを接続する接地片を底面側から見た正面図であり、（ｂ）同上の側面図である。
【図１１】第３の回路基板を固定する凹溝と第１の回路基板の接地パターンと第３の回路基板の接地パターンとの接地片を示す斜視図である。
【図１２】（ａ）切換分配器の突起部を底面側から見た正面図であり、（ｂ）同上の底面を上にしたときの上記突起部を示す正面図であり、（ｃ）同上の側面図であり、（ｄ）同上の斜視図である。
【図１３】（ａ）回路基板に形成された接地パターン非形成部の上面図であり、（ｂ）同上の断面図である。
【符号の説明】
３ａ〜３ｄ  入力端子部
５ａ〜５ｃ  ２分配回路部
６  切換回路部
７ａ〜７ｄ  出力端子部
８  筐体
１１ａ  第１の回路基板
１１ｂ  第２の回路基板
１１ｃ  第３の回路基板
１２Ａ  芯線
１３  金属筐体
１４  凹溝
１５  接地板
１８  接地パターン非形成部
１９  インピーダンス素子
２０ａ  突起部
２０ｂ  突起部
【図１】
0003747753.tif 000002
【図２】
0003747753.tif 000003
【図３】
0003747753.tif 000004
【図４】
0003747753.tif 000005
【図５】
0003747753.tif 000006
【図６】
0003747753.tif 000007
【図７】
0003747753.tif 000008
【図８】
0003747753.tif 000009
【図９】
0003747753.tif 000010
【図１０】
0003747753.tif 000011
【図１１】
0003747753.tif 000012
【図１２】
0003747753.tif 000013
【図１３】
0003747753.tif 000014